(57)【要約】【課題】  装飾体を基台に着脱することができ、装着時及び離脱時に、装飾体の発光素子を発光させることができる装飾装置を提供する。【解決手段】  装飾装置１は、差込凹部６が形成された基台２と、発光素子３５と電池２７と差込軸４０が設けられた装飾体２１とからなる。差込凹部６内には、外部電源又は内部電源に電気的に接続された一対の給電用導電部１１，１２が設けられている。差込軸４０は、差込凹部６に差し込まれた状態で、一対の給電用導電部１１，１２と接触する一対の導電端子４３，４５と、基台２から露出する一対の通電接点４６，４７とを有する。装飾体２１には、一対の導電端子４３，４５と発光素子３５とで形成された第１の電気回路５１と、一対の通電接点４６，４７と電池２７と発光素子３５とで形成された第２の電気回路５２とが設けられている。【選択図】        図１
2007046187.tif 000002
【特許請求の範囲】
【請求項１】
基台と、
装飾体とからなり、
前記基台には、差込口を備えた差込凹部が形成され、
前記差込凹部内には、外部電源又は内部電源に電気的に接続された一対の給電用導電部が設けられており、
装飾体には、発光素子と、電池と、差込軸が設けられ、
差込軸は、前記基台の差込凹部に差込可能に形成され、一対の導電端子と一対の通電接点とを有し、
前記一対の導電端子は、差込軸が差込凹部に差し込まれた状態で、前記一対の給電用導電部と接触するように設けられ、
さらに装飾体には、一対の導電端子と発光素子とで形成された第１の電気回路と、一対の通電接点と電池と発光素子とで形成された第２の電気回路とが設けられていることを特徴とする装飾装置。
【請求項２】
前記一対の通電接点は、差込軸が差込凹部に差し込まれた状態で、基台から露出するように設けられていることを特徴とする請求項１記載の装飾装置。
【請求項３】
基台と、
装飾体とからなり、
前記基台には、差込口を備えた差込凹部が形成され、
前記差込凹部内には、外部電源又は内部電源に電気的に接続された一対の給電用導電部が設けられており、
装飾体には、発光素子と、電池と、差込軸が設けられ、
差込軸は、前記基台の差込凹部に差込可能に形成され、三つの導電端子を有し、
前記第１の導電端子は、差込軸が差込凹部に差し込まれた状態で、正極側の給電用導電部と接触するように設けられ、
前記第２の導電端子は、差込軸が差込凹部に差し込まれた状態で、負極側の給電用導電部と接触するように設けられ、
さらに装飾体には、第１，第２の導電端子と発光素子とで形成された第１の電気回路と、第２，第３の導電端子と電池と発光素子とで形成された第２の電気回路とが設けられていることを特徴とする装飾装置。
【請求項４】
装飾本体と、
装飾本体の一端に設けられた差込軸とからなり、
装飾本体には、発光素子と電池が設けられ、
差込軸は、一対の導電端子と一対の通電接点とを有し、
前記一対の導電端子は、発光素子とで第１の電気回路を形成し、差込軸を基台に形成された差込凹部に差し込むと、前記差込凹部内に設けられた一対の給電用導電部に接触して発光素子が発光し、
前記一対の通電接点は、電池と発光素子とで第２の電気回路を形成し、一対の通電接点を導通させると発光素子が発光するように構成されていることを特徴とする装飾体。
【発明の詳細な説明】
【技術分野】
【０００１】
本願発明は、手で把持した場合と、基台に差し込んだ場合に、一側に設けられた発光素子が発光する装飾体に関し、さらにその装飾体と基台とからなる装飾装置に関する。
【背景技術】
【０００２】
従来の装飾装置は、基台と、基台に設けられた複数の装飾体とからなる。装飾体は、茎部と花冠部とからなる造花と、花冠部に設けられた発光素子と、茎部内に設けられ、前記発光素子の一端と導通する針金と、茎部に巻かれ、前記発光素子の他端と導通するリード線とからなる。基台には、ウレタンフォームからなる支持体と、支持体の下部に充填されたスチール繊維と、外部電源用コードと、コネクタとが設けられている。コネクタの一方の電極部がスチール繊維に接続され、コネクタの他方の電極部が前記リード線に接続されている。前記装飾体は、茎部がウレタンフォームに突き刺されて取り付けられ、針金がスチール繊維に接触して、発光素子が発光する（例えば、特許文献１）。
【特許文献１】特開平１１−１８１６１１号公報
【発明の開示】
【発明が解決しようとする課題】
【０００３】
上記従来の装飾装置は、外部電源用コードのプラグを家庭用コンセントに差し込むと、各装飾体の発光素子が発光するようになっている。しかし、従来の装飾装置は、基台から装飾体を引き抜くと、針金がスチール繊維から外れるため、装飾体の発光素子が発光しなくなるという問題点があった。
【０００４】
本願発明は、上記問題点に鑑み案出したものであって、基台に着脱することができ、基台に装着させた時、及び基台から離脱させて把持した時、一側に設けられた発光素子が発光する装飾体と、その装飾体と基台とからなる装飾装置を提供することを目的とする。
【課題を解決するための手段】
【０００５】
本願請求項１に係る装飾装置は、上記目的を達成するため、基台と、装飾体とからなり、前記基台には、差込口を備えた差込凹部が形成され、前記差込凹部内には、外部電源又は内部電源に電気的に接続された一対の給電用導電部が設けられており、装飾体には、発光素子と、電池と、差込軸が設けられ、差込軸は、前記基台の差込凹部に差込可能に形成され、一対の導電端子と一対の通電接点とを有し、前記一対の導電端子は、差込軸が差込凹部に差し込まれた状態で、前記一対の給電用導電部と接触するように設けられ、さらに装飾体には、一対の導電端子と発光素子とで形成された第１の電気回路と、一対の通電接点と電池と発光素子とで形成された第２の電気回路とが設けられている。
【０００６】
本願請求項２に係る装飾装置は、上記目的を達成するため、前記一対の通電接点は、差込軸が差込凹部に差し込まれた状態で、基台から露出するように設けられている。
【０００７】
本願請求項３に係る装飾装置は、上記目的を達成するため、基台と、装飾体とからなり、前記基台には、差込口を備えた差込凹部が形成され、前記差込凹部内には、外部電源又は内部電源に電気的に接続された一対の給電用導電部が設けられており、装飾体には、発光素子と、電池と、差込軸が設けられ、差込軸は、前記基台の差込凹部に差込可能に形成され、三つの導電端子を有し、前記第１の導電端子は、差込軸が差込凹部に差し込まれた状態で、正極側の給電用導電部と接触するように設けられ、前記第２の導電端子は、差込軸が差込凹部に差し込まれた状態で、負極側の給電用導電部と接触するように設けられ、さらに装飾体には、第１，第２の導電端子と発光素子とで形成された第１の電気回路と、第２，第３の導電端子と電池と発光素子とで形成された第２の電気回路とが設けられている。
【０００８】
本願請求項４に係る装飾体は、上記目的を達成するため、装飾本体と、装飾本体の一端に設けられた差込軸とからなり、装飾本体には、発光素子と電池が設けられ、差込軸は、一対の導電端子と一対の通電接点とを有し、前記一対の導電端子は、発光素子とで第１の電気回路を形成し、差込軸を基台に形成された差込凹部に差し込むと、前記差込凹部内に設けられた一対の給電用導電部に接触して発光素子が発光し、前記一対の通電接点は、電池と発光素子とで第２の電気回路を形成し、一対の通電接点を導通させると発光素子が発光するように構成されている。
【発明の効果】
【０００９】
本願発明に係る装飾装置は、装飾体の差込軸を基台の差込凹部に差し込むと、差込軸の一対の導電端子が差込凹部に設けられた一対の給電用導電部と接触して第１の電気回路を閉じ、発光素子が発光する。本願発明に係る装飾装置は、装飾体の差込軸を基台の差込凹部から抜くと第１の電気回路が開いた状態になるが、一対の通電接点を掴むと第２の電気回路が閉じることになり、発光素子が発光する。このように、本願発明に係る装飾装置は、基台に装飾体を差し込んだ状態と、基台から装飾体を外した状態の両方の状態で、発光素子を発光させることができるという効果がある。本願発明に係る装飾装置は、装飾体の差込軸を基台の差込凹部に差し込むと、差込軸の一対の導電端子が差込凹部に設けられた一対の給電用導電部と接触して発光素子が発光し、装飾体の電池を使用しないので、電池寿命を長く伸ばすことができる。
【００１０】
本願発明に係る装飾装置は、装飾体の差込軸を基台の差込凹部に差し込むと、差込軸の一対の導電端子が差込凹部に設けられた一対の給電用導電部と接触して第１の電気回路を閉じ、発光素子が発光する。本願発明に係る装飾装置は、装飾体の差込軸を基台の差込凹部に差し込んだ状態で、一対の通電接点を掴むと第２の電気回路が閉じることになり、この状態で装飾体の差込軸を基台の差込凹部から抜くと、第１の電気回路が開いた状態になるが、第２の電気回路の閉じた状態が維持されており、発光素子が発光したままである。このように、本願発明に係る装飾装置は、基台に装飾体を差し込んだ状態と、基台から装飾体を外した状態の両方の状態で、発光素子を発光させることができ、装飾体の発光素子を発光させたまま、基台から装飾体を取り出すことができるという効果がある。本願発明に係る装飾装置は、装飾体の差込軸を基台の差込凹部に差し込むと、差込軸の一対の導電端子が差込凹部に設けられた一対の給電用導電部と接触して発光素子が発光し、装飾体の電池を使用しないので、電池寿命を長く伸ばすことができる。
【００１１】
本願発明に係る装飾装置は、装飾体の差込軸を基台の差込凹部に差し込むと、差込軸の第１の導電端子が差込凹部に設けられた正極側の給電用導電部と接触し、第２の導電端子が差込凹部に設けられた負極側の給電用導電部と接触して第１の電気回路を閉じ、発光素子が発光する。本願発明に係る装飾装置は、装飾体の差込軸を基台の差込凹部から抜くと第１の電気回路が開いた状態になるが、第２の導電端子と第３の導電端子を掴むと第２の電気回路が閉じることになり、発光素子が発光する。このように、本願発明に係る装飾装置は、基台に装飾体を差し込んだ状態と、基台から装飾体を外した状態の両方の状態で、発光素子を発光させることができるという効果がある。本願発明に係る装飾装置は、装飾体の差込軸を基台の差込凹部に差し込むと、差込軸の第１の導電端子が差込凹部に設けられた正極側の給電用導電部と接触し、第２の導電端子が差込凹部に設けられた負極側の給電用導電部と接触して発光素子が発光し、装飾体の電池を使用しないので、電池寿命を長く伸ばすことができる。
【００１２】
本願発明に係る装飾体は、差込軸を基台の差込凹部に差し込むと、差込軸の一対の導電端子が差込凹部に設けられた一対の給電用導電部と接触して第１の電気回路を閉じ、発光素子が発光する。本願発明に係る装飾体は、差込軸を基台の差込凹部から抜くと第１の電気回路が開いた状態になるが、一対の通電接点を掴むと第２の電気回路が閉じることになり、発光素子が発光する。このように、本願発明に係る装飾体は、基台に差込軸を差し込んだ状態と、基台から差込軸を外した状態の両方の状態で、発光素子を発光させることができるという効果がある。本願発明に係る装飾体は、差込軸を基台の差込凹部に差し込むと、差込軸の一対の導電端子が差込凹部に設けられた一対の給電用導電部と接触して発光素子が発光し、一側に設けられた電池を使用しないので、電池寿命を長く伸ばすことができる。
【発明を実施するための最良の形態】
【００１３】
本願発明に係る装飾装置の実施の形態を図１乃至図８に基づいて説明する。図１は、本願発明に係る装飾装置の一つの実施の形態を示す説明図である。図２乃至図４は、本願発明に係る装飾装置の他の実施の形態を示す説明図である。図５は、本願発明に係る装飾装置の電気回路を説明する説明図である。図６は、本願発明に係る装飾装置を造花に利用した説明図である。図７は、本願発明に係る装飾装置を応用した説明図である。図８は、本願発明に係る装飾装置を生け花に利用した説明図である。
【００１４】
図１に示すように、装飾装置１は、基台２と、装飾体２１とからなる。前記基台２には、差込口５を備えた差込凹部６が形成されている。前記差込凹部６内には、外部電源又は内部電源に電気的に接続された一対の給電用導電部１１，１２が設けられている。装飾体２１には、発光素子３５と、電池２７と、差込軸４０が設けられている。差込軸４０は、前記基台２の差込凹部６に差込可能に形成され、一対の導電端子４３，４５と一対の通電接点４６，４７とを有する。
【００１５】
前記一対の導電端子４３，４５は、差込軸４０が差込凹部６に差し込まれた状態で、前記一対の給電用導電部１１，１２と接触するように設けられている。さらに装飾体２１には、一対の導電端子４３，４５と発光素子３５とで形成された第１の電気回路５１と、一対の通電接点４６，４７と電池２７と発光素子３５とで形成された第２の電気回路５２とが設けられている。前記一対の通電接点４６，４７は、差込軸４０が差込凹部６に差し込まれた状態で、基台２から露出するように設けられている。
【００１６】
図３，４に示すように、差込軸１１５，１５５は、基台９２，１３２の差込凹部９６，１３６に差込可能に形成され、三つの導電端子１１７〜１１９，１５７〜１５９を有するようにしても良い。前記第１の導電端子１１７，１５７は、差込軸１１５，１５５が差込凹部９６，１３６に差し込まれた状態で、正極側の給電用導電部１０１，１４１と接触するように設けられている。前記第２の導電端子１１８，１５８は、差込軸１１５，１５５が差込凹部９６，１３６に差し込まれた状態で、負極側の給電用導電部１０２，１４２と接触するように設けられている。さらに装飾体１１１，１５１には、第１，第２の導電端子１１７，１１８、１５７，１５８と発光素子３５とで形成された第１の電気回路１２１，１６１と、第２，第３の導電端子１１８，１１９、１５８，１５９と電池２７と発光素子３５とで形成された第２の電気回路１２２，１６２とが設けられている。
【００１７】
また、装飾体２１は、装飾本体２１ａと、装飾本体２１ａの一端に設けられた差込軸４０とからなる。装飾本体２１ａには、発光素子３５と電池２７が設けられている。差込軸４０は、一対の導電端子４３，４５と一対の通電接点４６，４７とを有する。前記一対の導電端子４３，４５は、発光素子３５とで第１の電気回路５１を形成し、差込軸４０を基台２に形成された差込凹部６に差し込むと、前記差込凹部６内に設けられた一対の給電用導電部１１，１２に接触して発光素子３５が発光する。前記一対の通電接点４６，４７は、電池２７と発光素子３５とで第２の電気回路５２を形成し、一対の通電接点４６，４７を導通させると発光素子３５が発光するように構成されている。
【００１８】
さらに装飾装置について詳細に説明する。図１に示すように、装飾装置１は、基台２と、装飾体２１とからなる。基台２は、上面３に略円形の差込口５が形成され、当該差込口５と連通する差込凹部６が設けられている。差込凹部６は、円形の底壁７と、底壁７の周囲に形成された周壁９とからなり、周壁９の上端に前記差込口５が形成されている。底壁７には、半球体状の正極導電体１１と、負極導電体１２が設けられている。正極導電体１１と負極導電体１２は、家庭用電源等の外部電源に図示しないアダプタを介して電気的に接続されている。また、周壁９には、位置決め用凹部１３，１４が対向して設けられている。
【００１９】
装飾体２１は、装飾本体２１ａと差込軸４０とからなる。装飾本体２１ａは、発光部２２と棒状部３６とで構成される。発光部２２は、合成樹脂素材によって形成された電池収容室２３と、電池収容室２３の開口端に水密状態で取り付けられる透明カバー体３０を有する。電池収容室２３は、不透過性の合成樹脂素材によって一体形成され、円形の底壁２５と、当該底壁２５の周囲に形成された周壁２６とからなり、上部が開放されている。電池収容室２３は、内部に３つにボタン電池２７が収容されている。
【００２０】
前記透明カバー体３０は、透過性の合成樹脂素材によって一体成形され、半球体状の上壁３１と、当該上壁３１の周囲に形成された周壁３２とからなり、前記電池収容室２３の上端開口にオーリング等のパッキン３３を挟んでネジ等により取り付けられている。透明カバー体３０は、内部に発光ダイオード（発光素子）３５が収容されている。
【００２１】
前記発光部２２は、棒状部３６の上端に固定して取り付けられている。棒状部３６は、筒状体３７と、筒状体３７の内部に設けられた芯部材３９とからなる。筒状体３７は、軟質プラスチック、スポンジ、合成ゴム、ウレタン等の軟質素材で筒状に形成され、上端が電池収容室２３の底壁２５周縁に固定されている。芯部材３９は、針金等の可塑性素材で形成され、上端が電池収容室２３の底壁２５中央に固定されている。
【００２２】
差込軸４０は、合成樹脂素材によって一体成形され、筒状部材４１と、筒状部材４１の下端に取り付けられた半球体状の底部材４２とからなる。底部材４２には、正極側導電端子４３と、負極側導電端子４５が設けられている。正極側導電端子４３及び負極側導電端子４５は、底部材４２に内側から外側に突出するようにして取り付けられている。
【００２３】
また、筒状部材４１には、一対の通電接点４６，４７が設けられている。通電接点４６，４７は、筒状部材４１に内側から外側に突出するようにして取り付けられている。一対の通電接点４６，４７は、差込軸４０が基台２の差込凹部６に差し込まれた場合、差込凹部６内に没入することなく、基台２から露出するように設けられている。即ち、差込軸４０の長さは、これを差込凹部６内に差し込んだ時、一対の通電接点４６，４７が差込凹部６内に入り込まない程度に設定されている。筒状部材４１には、差込軸４０が基台２の差込凹部６に差し込まれた時に、基台２の位置決め用凹部１３，１４に係合する半球体状の係合凸部４８，４９が形成されている。筒状部材４１の上端外周には、環状の鍔部５０が設けられている。
【００２４】
装飾体２１には、正極側導電端子４３及び負極側導電端子４５と発光ダイオード（発光素子）３５とで形成された第１の電気回路５１と、一対の通電接点４６，４７と電池２７と発光ダイオード（発光素子）３５とで形成された第２の電気回路５２とが設けられている。図５（ａ）に示すように、正極側導電端子４３は、発光ダイオード（発光素子）３５の正極側部に接続され、負極側導電端子４５は、一方の通電接点４７を介して発光ダイオード（発光素子）３５の負極側部に接続されている。他方の通電接点４６は、電池２７を介して発光ダイオード（発光素子）３５の正極側に接続されている。なお、電池２７と発光ダイオード（発光素子）３５の間に、電池２７側へ電流が流れないようにダイオード５３が設けられている。
【００２５】
装飾装置１は、上記構成を有し、以下のように使用することができる。図１（ｂ）に示すように、装飾装置１は、基台２の差込凹部６内に、差込口５から装飾体２１の差込軸４０を差し込むと、正極側導電端子４３が正極導電体１１に接触し、負極側導電端子４５が負極導電体１２に接触する。第１の電気回路５１が閉じることになり、家庭用電源等の外部電源からの電流が発光ダイオード（発光素子）３５に流れ、発光ダイオード（発光素子）３５が点灯する。
【００２６】
装飾体２１の差込軸４０は、差込凹部６内に差し込むと、一方の係合凸起４８が一方の位置決め用凹部１３に係合し、他方の係合凸起４９が他方の位置決め用凹部１４に係合して、差込凹部６内で正確に位置決めされ、確実に正極側導電端子４３が正極導電体１１に接触し、負極側導電端子４５が負極導電体１２に接触する。また、一対の通電接点４６，４７は、差込軸４０を差込凹部６内に差し込んでも、差込凹部６内に没入することがなく、露出している。
【００２７】
露出している差込軸４０の一対の通電接点４６，４７を把持すると、第２の電気回路５２が閉じることになり、電池２７の電流が発光ダイオード（発光素子）３５に流れる。電池２７の電圧が家庭用電源等の外部電源の電圧より高いと、発光ダイオード（発光素子）３５は一層明るく点灯し、差込軸４０が把持されたことを視覚で認識することができるが、電池２７の電圧が家庭用電源等の外部電源の電圧より高くなくても構わない。
【００２８】
図１（ａ）に示すよう、露出している差込軸４０の一対の通電接点４６，４７を二本の指で挟んで把持したたま、基台２の差込凹部６から装飾体２１の差込軸４０を引き抜くと、正極側導電端子４３が正極導電体１１から離れ、負極側導電端子４５が負極導電体１２から離れるので、第１の電気回路５１が開き、家庭用電源等の外部電源からの電流が発光ダイオード（発光素子）３５に流れなくなるが、前記したように、第２の電気回路５２が閉じたままなので、電池２７の電流が発光ダイオード（発光素子）３５に流れており、発光ダイオード（発光素子）３５は、消えることなく連続して点灯している。なお、差込軸４０を二本の指で挟んで把持したたま、上方に持ち上げると、二本の指が鍔部５０に引っ掛かるので、装飾体２１の差込軸４０を容易に引き抜くことができる。このように、装飾装置１は、基台２の差込凹部６に装飾体２１を差し込むと、基台２の外部電源によって、発光ダイオード（発光素子）３５が点灯し、基台２の差込凹部６から装飾体２１を引き抜くと、装飾体２１の電池によって、発光ダイオード（発光素子）３５が点灯し、点灯状態を連続させることが出来る。
【００２９】
前記実施の形態では、装飾装置１の基台２に外部電源からの電流を取り込めるようにしたが、図２（ａ）に示すように、基台６２に電池収容室７３を設けても良く、電池収容室７３内に設けられた電池７５により、装飾体２１の発光ダイオード（発光素子）３５を点灯させても構わない。即ち、基台６２は、筒状に形成され、上面６３に略円形の差込口６５が設けられ、当該差込口６５と連通する差込凹部６６が形成されている。差込凹部６６は、円形の中間壁６７と、中間壁６７の周囲に形成された周壁６９とからなり、周壁６９の上端に前記差込口６５が形成されている。中間壁６７には、半球体状の正極導電体７１と、負極導電体７２が設けられている。また、基台６２の下部には、電池収容室７３が設けられている。前記正極導電体７１と負極導電体７２は、電池収容室７３内に設けられた電池７５と、基台６２の側面に設けられたスイッチ７６とで電気的に接続され、第３の電気回路７９が形成されている。なお、周壁６９には、位置決め用凹部７７，７８が対向して設けられている。
【００３０】
装飾装置６１は、上記構成を有し、以下のように使用することができる。なお、基台６２のスイッチ７６は、ＯＮ状態にしておく。図２（ａ）に示すように、装飾装置６１は、基台６２の差込凹部６６内に、差込口６５から装飾体２１の差込軸４０を差し込むと、正極側導電端子４３が正極導電体７１に接触し、負極側導電端子４５が負極導電体７２に接触する。第３の電気回路７９が閉じることになり、基台６２内の電池７５からの電流が発光ダイオード（発光素子）３５に流れ、発光ダイオード（発光素子）３５が点灯する。
【００３１】
装飾体２１の差込軸４０は、差込凹部６６内に差し込むと、一方の係合凸起４８が一方の位置決め用凹部７７に係合し、他方の係合凸起４９が他方の位置決め用凹部７８に係合して、差込凹部６６内で正確に位置決めされ、確実に正極側導電端子４３が正極導電体７１に接触し、負極側導電端子４５が負極導電体７２に接触する。また、一対の通電接点４６，４７は、差込軸４０を差込凹部６６内に差し込んでも、差込凹部６６内に没入することがなく、露出している。
【００３２】
露出している差込軸４０の一対の通電接点４６，４７を把持すると、第２の電気回路５２が閉じることになり、電池２７の電流が発光ダイオード（発光素子）３５に流れる。露出している差込軸４０の一対の通電接点４６，４７を把持したたま、基台６２の差込凹部６６から装飾体２１の差込軸４０を引き抜くと、正極側導電端子４３が正極導電体７１から離れ、負極側導電端子４５が負極導電体７２から離れるので、第１の電気回路５１が開き、基台６２内の電池７５からの電流が発光ダイオード（発光素子）３５に流れなくなるが、前記したように、第２の電気回路５２が閉じたままなので、電池２７の電流が発光ダイオード（発光素子）３５に流れており、発光ダイオード（発光素子）３５は、消えることなく連続して点灯している。
【００３３】
図２（ｂ）に示すように、前記装飾装置６１を水中で利用することができるように、装飾装置６１にカバー８１を取り付けても良い。カバー８１は、合成樹脂によって、上部に開口部８２を備えた有底筒状に形成され、底部８３に重錘８５が設けられている。カバー８１は、基台６２を完全に収納すると共に、開口部８２周縁にゴムパッキン等の密閉部材８６が設けられている。当該密閉部材８６は、差込軸４０の周囲に水密に嵌合する。このように、装飾装置６１にカバー８１を装着すれば、通電接点４６，４７、導電端子４３，４５、導電体７１，７２が水に濡れることがないので、装飾装置６１を水中で使用することができる。なお、装飾体２１の棒状部３６上部に図示しない浮き部材を取り付ければ、基台６２側が重錘８５によって沈み、棒状部３６の上部が浮かぶので、装飾装置６１を水中で立たせることができる。
【００３４】
上記装飾装置１は、導電端子４３，４５と通電接点４６，４７の４つの導電端子を備えているが、３つの導電端子であっても構わない。図３（ａ）に示すように、装飾装置９１は、基台９２と、装飾体１１１とからなる。基台９２は、上面９３に略円形の差込口９５が形成され、当該差込口９５と連通する差込凹部９６が設けられている。差込凹部９６は、円形の底壁９７と、底壁９７の周囲に形成された周壁９９とからなり、周壁９９の上端に前記差込口９５が形成されている。周壁９９の下部には環状の正極導電体１０１が設けられ、周壁９９の中間部には環状の負極導電体１０２が設けられている。正極導電体１０１と負極導電体１０２は、家庭用電源等の外部電源に図示しないアダプタを介して電気的に接続されている。
【００３５】
装飾体１１１は、発光部２２と、棒状部３６と、差込軸１１５とからなる。発光部２２、棒状部３６は、前述した通りなので省略する。差込軸１１５は、合成樹脂素材によって一体成形され、筒状部材１１６と、筒状部材１１６の下端に取り付けられた半球体状の底部材１１４とからなる。筒状部材１１６には、下側から第１の導電端子１１７、第２の導電端子１１８，第３の導電端子１１９が設けられている。
【００３６】
装飾体１１１には、図５（ｂ）に示すように、第１の導電端子１１７及び第２の導電端子１１８と発光ダイオード（発光素子）３５とで形成された第１の電気回路１２１と、第２の導電端子１１８及び第３の導電端子１１９と電池２７と発光ダイオード（発光素子）３５とで形成された第２の電気回路１２２とが設けられている。なお、電池２７と発光ダイオード（発光素子）３５の間に、電池２７側へ電流が流れないようにダイオード５３が設けられている。
【００３７】
装飾装置９１は、上記構成を有し、以下のように使用することができる。図３（ｂ）に示すように、装飾装置９１は、基台９２の差込凹部９６内に、差込口９５から装飾体１１１の差込軸１１５を差し込むと、第１の導電端子１１７が正極導電体１０１に接触し、第２の導電端子１１８が負極導電体１０２に接触する。第１の電気回路１２１が閉じることになり、家庭用電源等の外部電源からの電流が発光ダイオード（発光素子）３５に流れ、発光ダイオード（発光素子）３５が点灯する。
【００３８】
図３（ａ）に示すよう、基台９２の差込凹部９６から装飾体１１１の差込軸１１５を引き抜くと、第１の導電端子１１７が正極導電体１０１から離れ、第２の導電端子１１８が負極導電体１０２から離れるので、第１の電気回路１２１が開き、家庭用電源等の外部電源からの電流が発光ダイオード（発光素子）３５に流れなくなり、発光ダイオード（発光素子）３５が一旦消灯する。引き抜くと略同時に、差込軸１１５の第２の導電端子１１８と第３の導電端子１１９を把持すると、第２の電気回路１２２が閉じることになり、電池２７の電流が発光ダイオード（発光素子）３５に流れ、発光ダイオード（発光素子）３５は点灯する。このように、装飾装置９１は、基台９２の差込凹部９６に装飾体１１１を差し込むと、基台９２の外部電源によって、発光ダイオード（発光素子）３５が点灯し、基台９２の差込凹部９６から装飾体１１１を引き抜くと、装飾体１１１の電池によって、発光ダイオード（発光素子）３５が点灯する。
【００３９】
上記装飾装置９１は、差込軸１１５が円筒形状であって、基台９２の差込凹部９６内で差込軸１１５が回動しても、第１の導電端子１１７が正極導電体１０１に接触し、第２の導電端子１１８が負極導電体１０２に接触した状態を維持し、発光ダイオード（発光素子）３５が点灯している。図４に示すように、差込軸を蒲鉾状にし、基台の差込口も蒲鉾状にすると、差込方向が一つしかなく、しかも差込軸を回動不能に差し込むことが出来る。
【００４０】
図４（ａ）に示すように、装飾装置１３１は、基台１３２と、装飾体１５１とからなる。基台１３２は、上面１３３に略蒲鉾形状の差込口１３５が形成され、当該差込口１３５と連通する差込凹部１３６が設けられている。差込凹部１３６は、略矩形状の底壁１３７と、底壁１３７の周囲に形成された周壁１３９とからなり、周壁１３９の上端に前記差込口１３５が形成されている。周壁１３９の中間部には正極導電体１４１が設けられ、周壁１３９の下部には負極導電体１４２が設けられている。正極導電体１４１と負極導電体１４２は、家庭用電源等の外部電源に図示しないアダプタを介して電気的に接続されている。
【００４１】
装飾体１５１は、発光部２２と、棒状部３６と、差込軸１５５とからなる。発光部２２、棒状部３６は、前述した通りなので省略する。差込軸１５５は、合成樹脂素材によって一体成形され、断面蒲鉾状の軸部材１５６を有している。軸部材１５６には、略中間部に第１の導電端子１５７が設けられ、下側に対向して第２の導電端子１５８と第３の導電端子１５９が設けられている。
【００４２】
装飾体１５１には、図５（ｂ）に示すように、第１の導電端子１５７及び第２の導電端子１５８と発光ダイオード（発光素子）３５とで形成された第１の電気回路１６１と、第２の導電端子１５８及び第３の導電端子１５９と電池２７と発光ダイオード（発光素子）３５とで形成された第２の電気回路１６２とが設けられている。なお、電池２７と発光ダイオード（発光素子）３５の間に、電池２７側へ電流が流れないようにダイオード５３が設けられている。
【００４３】
装飾装置１３１は、上記構成を有し、以下のように使用することができる。図４（ｂ）に示すように、装飾装置１３１は、基台１３２の差込凹部１３６内に、差込口１３５から装飾体１５１の差込軸１５５を差し込むと、第１の導電端子１５７が正極導電体１４１に接触し、第２の導電端子１５８が負極導電体１４２に接触する。第１の電気回路１６１が閉じることになり、家庭用電源等の外部電源からの電流が発光ダイオード（発光素子）３５に流れ、発光ダイオード（発光素子）３５が点灯する。
【００４４】
図４（ａ）に示すよう、基台１３２の差込凹部１３６から装飾体１５１の差込軸１５５を引き抜くと、第１の導電端子１５７が正極導電体１４１から離れ、第２の導電端子１５８が負極導電体１４２から離れるので、第１の電気回路１６１が開き、家庭用電源等の外部電源からの電流が発光ダイオード（発光素子）３５に流れなくなり、発光ダイオード（発光素子）３５が一旦消灯する。引き抜くと略同時に、差込軸１５５の第２の導電端子１５８と第３の導電端子１５９を把持すると、第２の電気回路１２２が閉じることになり、電池２７の電流が発光ダイオード（発光素子）３５に流れ、発光ダイオード（発光素子）３５は点灯する。このように、装飾装置１３１は、基台１３２の差込凹部１３６に装飾体１５１を差し込むと、基台１３２の外部電源によって、発光ダイオード（発光素子）３５が点灯し、基台１３２の差込凹部１３６から装飾体１５１を引き抜くと、装飾体１５１の電池によって、発光ダイオード（発光素子）３５が点灯する。
【００４５】
上記装飾装置１，６１，９１，１３１の応用例について説明する。図６に示すように、装飾体２１，１１１，１５１は、造花１７０であって、花部１７１と、花部１７１を取り付ける茎部１７２と、茎部１７２の下端に設けられた差込軸４０，１１５，１５５とからなる。茎部１７２は、筒状体３７を細くしたものであって、図６（ｂ）に示すように、芯部材３９によって屈曲可能であり且つ屈曲した状態が保持できるようになっている。茎部１７２の周囲には、葉部１７３が形成されている。花部１７１は、発光部２２を包み込むようにして形成されている。
【００４６】
図７（ａ）に示すように、複数の花部を備え、その内のいくつかの花部に発光部２２を設けた造花１７５であっても良い。また、図７（ｂ）に示すように、一つの差込軸４０，１１５，１５５に２本の茎部１７６，１７７を取り付け、２つの花部１７８，１７９を内部から点灯させるようにした造花１８０であっても良い。また、図７（ｃ）に示すように、花部を昆虫部１８１に代えて、昆虫部１８１を点灯させる装飾装置１８２であっても良い。
【００４７】
また、図８（ｂ）に示すように、基台２，６２，９２，１３２に複数の差込口５，６５，９５，１３５を形成し、前記した造花１７０，１７５，１８０等を生け花のように差し込んで、楽しむこともできる。図８（ａ）に示すように、差込口５，６５，９５，１３５は、丸形、矩形型、蒲鉾型等、種々変更可能である。なお、造花１７０，１７５，１８０に混じって、本物の花を生けておくことも可能である。このように、装飾装置１，６１，９１，１３１は、基台２，６２，９２，１３２に複数の差込口５，６５，９５，１３５を形成し、剣山に花を刺して生け花を行う如く、造花１７０，１７５，１８０を差込口５，６５，９５，１３５に差し込んで楽しむことが出来る。
【００４８】
本願発明に係る装飾体の他の実施の形態を図９乃至図１１に基づいて説明する。図９は、装飾体の実施の形態を示す斜視図である。図１０は、装飾体の要部断面図である。図１１は、装飾体の接続装置の説明図である。
【００４９】
装飾体２０１は、造花状に形成され、花部２０２と、花部２０２内に設けられた発光部と、茎部２０５〜２０８とからなる。発光部は、前述したのと同様に、合成樹脂素材によって形成された電池収容室と、電池収容室の開口端に取り付けられる透明カバー体を有する。電池収容室は、内部にボタン電池２７が収容されている。前記透明カバー体は、透過性の合成樹脂素材によって一体成形され、内部に発光ダイオード（発光素子）３５が収容されている。
【００５０】
前記発光部は、茎部２０５〜２０８の上端に固定して取り付けられている。図１０に示すように、茎部２０５〜２０８は、筒状体２１１と、芯部材２１２と、第１、第２の導電部材と、非導電性の充填部材２１６とからなる。筒状体２１１は、軟質プラスチック、スポンジ、合成ゴム、ウレタン等の軟質素材で筒状に形成され、上端が電池収容室の底壁に固定されている。芯部材２１２は、針金等の可塑性素材で形成され、上端が電池収容室の底壁に固定されている。
【００５１】
図１０（ａ）に示す、茎部２０５は、前記筒状体２１１と、芯部材２１２と、第１の導電部材２１３と、第２の導電部材２１５と、充填部材２１６とからなる。芯部材２１２は、軸方向に伸びるようにして、筒状体２１１の外周面に取り付けられている。第１の導電部材２１３は、線状に形成され、筒状体２１１の略中心に設けられてる。第２の導電部材２１５は、断面がリング状に形成され、筒状体２１１の内周面に沿って設けられている。充填部材２１６は、第１の導電部材２１３と第２の導電部材２１５の間に設けられている。
【００５２】
図１０（ｂ）に示す、茎部２０６は、前記筒状体２１１と、芯部材２１２と、第１の導電部材２１８と、第２の導電部材２１９と、充填部材２１６とからなる。芯部材２１２は、軸方向に伸びるようにして、筒状体２１１の内側に設けられいる。第１の導電部材２１８、第２の導電部材２１９は、線状に形成され、筒状体２１１の内側に設けられてる。充填部材２１６は、第１の導電部材２１３と第２の導電部材２１５が接触しないようにして筒状体２１１内に設けられている。
【００５３】
図１０（ｃ）に示す、茎部２０７は、前記筒状体２１１と、芯部材２１２と、第１の導電部材２１３と、第２の導電部材２１５と、充填部材２１６とからなる。芯部材２１２は、軸方向に伸びるようにして、筒状体２１１の内側に設けられいる。第１の導電部材２１３は、線状に形成され、筒状体２１１の略中心に設けられてる。第２の導電部材２１５は、断面がリング状に形成され、筒状体２１１の内周面に沿って設けられている。充填部材２１６は、第１の導電部材２１３と第２の導電部材２１５の間に設けられている。
【００５４】
図１０（ｄ）に示す、茎部２０８は、断面が略８の字状の筒状体２２１と、第１の導電部材２１８と、第２の導電部材２１９と、充填部材２１６とからなる。第１の導電部材２１８は、線状に形成され、筒状体２２１の一方の円形部２２２の略中心に設けられてる。第２の導電部材２１９は、線状に形成され、筒状体２２１の他方の円形部２２３の略中心に設けられてる。充填部材２１６は、第１の導電部材２１３と第２の導電部材２１５が接触しないようにして筒状体２２１内に設けられている。
【００５５】
第１の導電部材２１３，２１８の上端は、電池２７に接続されている。第２の導電部材２１５，２１９の上端は、発光ダイオード（発光素子）３５に接続されている。第１の導電部材２１３，２１８の下端と第２の導電部材２１５，２１９の下端は、無接触状態となっている。図９（ａ）に示すように、茎部２０５〜２０８は、どの位置で切断しても、その切断面で、第１の導電部材２１３，２１８の下端と第２の導電部材２１５，２１９の下端が露出している。第１の導電部材２１３（２１８）の下端と第２の導電部材２１５（２１９）の下端を導通させると発光ダイオード（発光素子）３５が点灯する。
【００５６】
装飾体２０１は、造花状に形成されており、茎部２０５〜２０８の所望する位置２３１をハサミ等で切断し、この切断部２３１を水分の含んだスポンジ等の吸水部材２３２に差し込むと、第１の導電部材２１３（２１８）の下端と第２の導電部材２１５（２１９）の下端が水分によって導通し、発光ダイオード（発光素子）３５が点灯する。茎部２０５〜２０８は、芯部材２１２によって所望する形状に折り曲げることができ且つ折り曲げた状態を保持することができるので、装飾体２０１を生け花のように使用することができる。また、本物の花を吸水部材２３２に差し込んで、自然花と造花のコラボレーションを楽しむことができる。また、水がなくなると、発光ダイオード（発光素子）３５が消灯するので、水盤２３５の水検知手段として利用することも可能である。
【００５７】
また、図１１に示すように、装飾体２０１は、茎部２０５〜２０８の下部を接続部材２４１に差し込んで、第１の導電部材２１３（２１８）の下端と第２の導電部材２１５（２１９）の下端を導通させ、発光ダイオード（発光素子）３５を点灯させるようにしても構わない。図１１（ａ）に示すように、接続部材２４１は、筒状の外カバー２４２と、筒状の挿入管２４３と、導電突起２４５と、差込部材２４６とからなる。
【００５８】
筒状の外カバー２４２は、合成樹脂素材によって形成され、底壁２４７を有し、上部開口２４９から茎部２０７を装着することが可能な内径を備えている。挿入管２４３は、金属等の導電材料によって薄肉厚で形成され、下端に前記導電突起２４５を備え、茎部２０７の筒状の第２の導電部材２１５内に嵌合可能な外径を備えている。差込部材２４６は、合成樹脂素材によって丸軸状に形成され、外カバー２４２の底壁２４７に固定して取り付けられている。
【００５９】
図１１（ｂ）に示すように、茎部２０７を接続部材２４１の外カバー２４２内に上部開口２４９から差し込むと、挿入管２４３が充填部材２１６を押し込みながら又は内側に撓めながら、第２の導電部材２１５内に嵌合する。さらに、茎部２０７を接続部材２４１に差し込むと、第１の導電部材２１３の下端が導電突起２４５と接触する。第１の導電部材２１３と第２の導電部材２１５が、導電突起２４５及び挿入管２４３を介して導通するので、発光ダイオード（発光素子）３５が点灯する。装飾体２０１は、茎部２０７の筒状体２１１が外カバー２４２と挿入管２４３によって保持され、接続部材２４１に安定して取り付けることができる。このように、装飾体２０１は、茎部２０７を所望する長さで切断し、前記したように、茎部２０７を折り曲げて所望する形に整えた後、接続部材２４１を茎部２０７の下部（切断部）に装着することによって、発光ダイオード（発光素子）３５を点灯させ、差込部材２４６を基台に形成された差込凹部に差し込むことによって、生け花の如く、立設させることができる。
【００６０】
前記した接続部材２４１は、細長く形成したので装飾体２０１を安定して取り付けることができるが、図１１（ｃ）に示すように、短く形成すると装飾体２０１を安定して取り付けることができないので、補強バンド２５０を外カバー２４２に取り付けて、装飾体２０１を安定させてもよい。特に外カバー２４２が軟質合成樹脂素材によって形成されている場合には、補強バンド２５０を装着すること望ましい。
【００６１】
図１１（ｄ）に示すように、接続部材２５１は、筒状の外カバー２５２と導電板２５３とからなる。筒状の外カバー２５２は、合成樹脂素材によって形成され、底壁２５５を有し、上部開口２５６から茎部２０６を嵌着することが可能な内径を備えている。導電板２５３は、底壁２５５の上面に取り付けられている。茎部２０６を接続部材２５１の外カバー２４２内に上部開口２５６から差し込んで嵌着すると、第１の導電部材２１８と第２の導電部材２１９の下端が導電板２５３と接触する。第１の導電部材２１８と第２の導電部材２１９が、導電板２５３を介して導通するので、発光ダイオード（発光素子）３５が点灯する。このように、装飾体２０１は、茎部２０６を所望する長さで切断し、前記したように、茎部２０６を折り曲げて所望する形に整えた後、接続部材２５１を茎部２０６の下部（切断部）に装着することによって、発光ダイオード（発光素子）３５を点灯させることができる。
【００６２】
図１１（ｅ）に示すように、接続部材２６１は、略８の字状の外カバー２６２と導電板２６３とからなる。外カバー２６２は、合成樹脂素材によって形成され、底壁２６５を有し、上部開口２６６から茎部２０８を嵌着することが可能な内径を備えている。導電板２６３は、底壁２６５の上面に取り付けられている。茎部２０８を接続部材２６１の外カバー２６２内に上部開口２６６から差し込んで嵌着すると、第１の導電部材２１８と第２の導電部材２１９の下端が導電板２６３と接触する。第１の導電部材２１８と第２の導電部材２１９が、導電板２６３を介して導通するので、発光ダイオード（発光素子）３５が点灯する。このように、装飾体２０１は、茎部２０８を所望する長さで切断し、前記したように、茎部２０８を折り曲げて所望する形に整えた後、接続部材２６１を茎部２０８の下部（切断部）に装着することによって、発光ダイオード（発光素子）３５を点灯させることができる。
【００６３】
装飾装置１は、装飾体２１の差込軸４０を基台２の差込凹部６に差し込むと、差込軸４０の一対の導電端子４３，４５が差込凹部６に設けられた一対の給電用導電部１１，１２と接触して第１の電気回路５１を閉じ、発光素子３５が発光する。装飾装置１は、装飾体２１の差込軸４０を基台２の差込凹部６に差し込んだ状態で、一対の通電接点４６，４７を掴むと第２の電気回路５２が閉じることになり、この状態で装飾体２１の差込軸４０を基台２の差込凹部６から抜くと、第１の電気回路５１が開いた状態になるが、第２の電気回路５２の閉じた状態が維持され、発光素子３５が発光したままである。このように、装飾装置１は、装飾体２１の発光素子３５を発光させたまま、基台２から装飾体２１を取り出すことができる。装飾装置１は、装飾体２１の差込軸４０を基台２の差込凹部６に差し込むと、差込軸４０の一対の導電端子４３，４５が差込凹部６に設けられた一対の給電用導電部１１，１２と接触して発光素子３５が発光し、装飾体２１の電池２７を使用しないので、電池寿命を長く伸ばすことができる。
【００６４】
装飾装置９１は、装飾体１１１の差込軸１１５を基台９２の差込凹部９６に差し込むと、差込軸１１５の第１の導電端子１１７が差込凹部９６に設けられた正極側の給電用導電部１０１と接触し、第２の導電端子１１８が差込凹部９６に設けられた負極側の給電用導電部１０２と接触して第１の電気回路１２１を閉じ、発光素子３５が発光する。装飾装置９１は、装飾体１１１の差込軸１１５を基台９２の差込凹部９６から抜くと第１の電気回路１２１が開いた状態になるが、第２の導電端子１１８と第３の導電端子１１９を掴むと第２の電気回路１２２が閉じることになり、発光素子３５が発光する。このように、装飾装置９１は、基台９２に装飾体１１１を差し込んだ状態と、基台９２から装飾体１１１を外した状態の両方の状態で、発光素子３５を発光させることができる。装飾装置９１は、装飾体１１１の差込軸１１５を基台９２の差込凹部９６に差し込むと、差込軸１１５の第１の導電端子１１７が差込凹部９６に設けられた正極側の給電用導電部１０１と接触し、第２の導電端子１１８が差込凹部９６に設けられた負極側の給電用導電部１０２と接触して発光素子３５が発光し、装飾体１１１の電池２７を使用しないので、電池寿命を長く伸ばすことができる。
【００６５】
装飾体２１は、差込軸４０を基台２の差込凹部６に差し込むと、差込軸４０の一対の導電端子４３，４５が差込凹部６に設けられた一対の給電用導電部１１，１２と接触して第１の電気回路５１を閉じ、発光素子３５が発光する。装飾体２１は、差込軸４０を基台２の差込凹部６から抜くと第１の電気回路５１が開いた状態になるが、一対の通電接点４６，４７を掴むと第２の電気回路５２が閉じることになり、発光素子３５が発光する。このように、装飾体２１は、基台２に差込軸４０を差し込んだ状態と、基台２から差込軸４０を外した状態の両方の状態で、発光素子３５を発光させることができる。装飾体２１は、差込軸４０を基台２の差込凹部６に差し込むと、差込軸４０の一対の導電端子４３，４５が差込凹部６に設けられた一対の給電用導電部１１，１２と接触して発光素子３５が発光し、一側に設けられた電池２７を使用しないので、電池寿命を長く伸ばすことができる。
【図面の簡単な説明】
【００６６】
【図１】本願発明に係る装飾装置の一つの実施の形態を示す説明図である。
【図２】本願発明に係る装飾装置の他の実施の形態を示す説明図である。
【図３】本願発明に係る装飾装置の他の実施の形態を示す説明図である。
【図４】本願発明に係る装飾装置の他の実施の形態を示す説明図である。
【図５】本願発明に係る装飾装置の電気回路を説明する説明図である。
【図６】本願発明に係る装飾装置を造花に利用した説明図である。
【図７】本願発明に係る装飾装置を応用した説明図である。
【図８】本願発明に係る装飾装置を生け花に利用した説明図である。
【図９】本願発明に係る装飾体の実施の形態を示す斜視図である。
【図１０】本願発明に係る装飾体の要部断面図である。
【図１１】本願発明に係る装飾体の接続装置の説明図である。
【符号の説明】
【００６７】
１  装飾装置
２  基台
３  上面
５  差込口
６  差込凹部
７  底壁
９  周壁
１１  正極導電体（給電用導電部）
１２  負極導電体（給電用導電部）
１３  位置決め用凹部
１４  位置決め用凹部
２１  装飾体
２１ａ  装飾本体
２２  発光部
２３  電池収容室
２５  底壁
２６  周壁
２７  電池
３０  透明カバー体
３１  上壁
３２  周壁
３３  パッキン
３５  発光ダイオード（発光素子）
３６  棒状部
３７  筒状体
３９  芯部材
４０  差込軸
４１  筒状部材
４２  底部材
４３  正極側導電端子
４５  負極側導電端子
４６  通電接点
４７  通電接点
４８  係合凸部
４９  係合凸部
５０  鍔部
５１  第１の電気回路
５２  第２の電気回路
５３  ダイオード
６１  装飾装置
６２  基台
６３  上面
６５  差込口
６６  差込凹部
６７  中間壁
６９  周壁
７１  正極導電体
７２  負極導電体
７３  電池収容室
７５  電池
７６  スイッチ
７７  位置決め用凹部
７８  位置決め用凹部
７９  第３の電気回路
８１  カバー
８２  開口部
８３  底部
８５  重錘
８６  密閉部材
９１  装飾装置
９２  基台
９３  上面
９５  差込口
９６  差込凹部
９７  底壁
９９  周壁
１０１  正極導電体（給電用導電部）
１０２  負極導電体（給電用導電部）
１１１  装飾体
１１４  底部材
１１５  差込軸
１１６  筒状部材
１１７  第１の導電端子
１１８  第２の導電端子
１１９  第３の導電端子
１２１  第１の電気回路
１２２  第２の電気回路
１３１  装飾装置
１３２  基台
１３３  上面
１３５  差込口
１３６  差込凹部
１３７  底壁
１３９  周壁
１４１  正極導電体（給電用導電部）
１４２  負極導電体（給電用導電部）
１５１  装飾体
１５５  差込軸
１５６  軸部材
１５７  第１の導電端子
１５８  第２の導電端子
１５９  第３の導電端子
１６１  第１の電気回路
１６２  第２の電気回路
１７０  造花
１７１  花部
１７２  茎部
１７３  葉部
１７５  造花
１７６  茎部
１７７  茎部
１７８  花部
１７９  花部
１８０  造花
１８１  昆虫部
１８２  装飾装置
２０１  装飾体
２０２  花部
２０５  茎部
２０６  茎部
２０７  茎部
２０８  茎部
２１１  筒状体
２１２  芯部材
２１３  第１の導電部材
２１５  第２の導電部材
２１６  充填部材
２１８  第１の導電部材
２１９  第２の導電部材
２２１  筒状体
２２２  円形部
２２３  円形部
２３１  切断部
２３２  吸水部材
２３５  水盤
２４１  接続部材
２４２  外カバー
２４３  挿入管
２４５  導電突起
２４６  差込部材
２４７  底壁
２４９  上部開口
２５０  補強バンド
２５１  接続部材
２５２  外カバー
２５３  導電板
２５５  底壁
２５６  上部開口
２６１  接続部材
２６２  外カバー
２６３  導電板
２６５  底壁
２６６  上部開口
【図１】
2007046187.tif 000003
【図２】
2007046187.tif 000004
【図３】
2007046187.tif 000005
【図４】
2007046187.tif 000006
【図５】
2007046187.tif 000007
【図６】
2007046187.tif 000008
【図７】
2007046187.tif 000009
【図８】
2007046187.tif 000010
【図９】
2007046187.tif 000011
【図１０】
2007046187.tif 000012
【図１１】
2007046187.tif 000013